(57)【要約】【課題】受口用カバーを受口の外面ではなく内面に簡単に取り外し及び取り付け可能とする。【解決手段】受口用カバー１０に、受口２の内面に挿入される内筒部１１と、内筒部１１の挿入側端部を塞ぐ蓋部１３とを設ける。内筒部１１の手前側端部外周から複数の貫通ネジ孔１８が形成されたフランジ部１９を延設し、内筒部１１のシール用収容溝３に対応する位置に形成された複数の係止用貫通孔１２と、各貫通ネジ孔１８に締結される押込ボルト２０と、ボルト挿入孔２１ａを有する露出部２１ｂ及び露出部２１ｂから奥側へ延び且つ半径方向外側に延びて先端が係止用貫通孔１２を通ってシール用収容溝３に挿入される係止爪部２１ｄを有する固定部材２１を設ける。さらに、フランジ部１９に露出部２１ｂを押さえ込む押さえナット２２（狭持部）と、内筒部１１と受口２内面とを密閉するシール部材５とを設ける。【選択図】図１
2010065787.tif 000002
【特許請求の範囲】
【請求項１】
内周面にシール用収容溝が形成された受口を塞ぐ受口用カバーにおいて、
上記受口の内面に挿入される該受口の内径よりも小径の筒状内筒部と、
上記内筒部の挿入側端部を塞ぐ蓋部と、
上記内筒部の手前側端部外周から延びて複数の貫通ネジ孔が形成されると共に、上記受口の内径よりも大径のフランジ部と、
上記内筒部の上記シール用収容溝に対応する位置に円周方向に間隔をあけて形成された複数の係止用貫通孔と、
上記各貫通ネジ孔に締結される押込ボルトと、
上記押込ボルトが挿通されるボルト挿入孔を有する露出部及び該露出部から奥側へ延び且つ半径方向外側に延びて先端が上記係止用貫通孔を通って上記シール用収容溝に挿入される係止爪部を有する固定部材と、
上記押込ボルトに締結されて上記フランジ部に上記露出部を押さえ込む狭持部と、
上記シール用収容溝の奥側に配置されて上記内筒部と上記受口内面とを密閉するシール部材とを備え、
上記押込ボルトを締め込みながら上記固定部材を手前側に移動させ、上記係止爪部を上記シール用収容溝を形成する手前側壁面に係止させることで上記受口を水密状態に維持するように構成されている
ことを特徴とする受口用カバー。
【請求項２】
請求項１に記載の受口用カバーにおいて、
上記蓋部には、上記受口の内径よりも外径の小さい配管を接続可能な接続用ネジ孔が形成され、該接続用ネジ孔は、接続用プラグで密閉可能となっている
ことを特徴とする受口用カバー。
【請求項３】
請求項２に記載の受口用カバーにおいて、
上記接続用プラグには、空気抜き用の貫通孔が形成され、該貫通孔は、空気抜き用プラグで密閉可能となっている
ことを特徴とする受口用カバー。
【請求項４】
請求項２又は３に記載の受口用カバーにおいて、
上記接続用プラグには、鍔部が形成され、該鍔部に形成された締結部材挿通孔に締結部材を挿通して上記接続用ネジ孔の周縁に締結可能に構成されている
ことを特徴とする受口用カバー。
【請求項５】
請求項１乃至４のいずれか１つに記載の受口用カバーにおいて、
上記受口は、真っ直ぐなダクタイル鋳鉄管の先端に形成されたものである
ことを特徴とする受口用カバー。
【発明の詳細な説明】
【技術分野】
【０００１】
本発明は、上下水道管などの管路を構成する受口を塞ぐ受口用カバーに関する。
【背景技術】
【０００２】
従来より、少なくとも受口の内径よりも大径の栓部材と、栓部材よりも受口の内方側に固定可能に配置される固定部材と、栓部材と受口との間隙を水密的に密封するシール部材と、栓部材を受口の内方に押圧して保持する係合部材とから構成される受口用栓は知られている（例えば、特許文献１参照）。
【０００３】
この受口用栓では、係合部材が、固定部材の受口の外方への動きが防止される固定状態と、固定部材の受口の外方への動きが可能となる固定解除状態とに切替可能に動作する切替部を備えている。また、固定状態において、固定部材の受口の外方への動きが防止されることにより生じる反力を利用して、栓部材を受口の内方に押圧して保持する押圧部を備え、固定解除状態において、受口の外方に取り外し可能となっている。この構成により、受口の外周に固定部材の係止用の溝がない場合でも受口用栓で受口を閉じることができるようになっている。
【特許文献１】特開２００７−２４１６５号公報
【発明の開示】
【発明が解決しようとする課題】
【０００４】
しかしながら、従来の受口用カバーでは、取り付け又は取り外しのためには、切替部と押圧ボルトの双方を操作しなければならず、受口用カバーの取り付け及び取り外し作業が面倒であるという問題があった。
【０００５】
本発明は、かかる点に鑑みてなされたものであり、その目的とするところは、受口用カバーを受口の外面ではなく内面に簡単に取り外し及び取り付け可能とすることにある。
【課題を解決するための手段】
【０００６】
上記の目的を達成するために、この発明では、押込ボルトのみを操作して固定部材を受口のシール用収容溝に係止するようにした。
【０００７】
具体的には、第１の発明では、
内周面にシール用収容溝が形成された受口を塞ぐ受口用カバーを対象とし、
上記受口用カバーは、
上記受口の内面に挿入される該受口の内径よりも小径の筒状内筒部と、
上記内筒部の挿入側端部を塞ぐ蓋部と、
上記内筒部の手前側端部外周から延びて複数の貫通ネジ孔が形成されると共に、上記受口の内径よりも大径のフランジ部と、
上記内筒部の上記シール用収容溝に対応する位置に円周方向に間隔をあけて形成された複数の係止用貫通孔と、
上記各貫通ネジ孔に締結される押込ボルトと、
上記押込ボルトが挿通されるボルト挿入孔を有する露出部及び該露出部から奥側へ延び且つ半径方向外側に延びて先端が上記係止用貫通孔を通って上記シール用収容溝に挿入される係止爪部を有する固定部材と、
上記押込ボルトに締結されて上記フランジ部に上記露出部を押さえ込む狭持部と、
上記シール用収容溝の奥側に配置されて上記内筒部と上記受口内面とを密閉するシール部材とを備え、
上記押込ボルトを締め込みながら上記固定部材を手前側に移動させ、上記係止爪部を上記シール用収容溝を形成する手前側壁面に係止させることで上記受口を水密状態に維持するように構成されている。
【０００８】
上記の構成によると、押込ボルトをねじ込みながら固定部材の係止爪部を受口に予め設けたシール用収容溝の手前側に係止させると共に、シール部材をシール用収容溝の奥側に配置して内筒部と受口内面とを密閉することで、受口の外面に固定部材を係止することなく、受口用カバーによって簡単に受口を水密状態とすることができる。このことで、配管末端部の止水や保護を行うことができ、管路水圧試験用のカバーとしても使用することができる。一方、押込ボルトを緩めながら固定部材の係止爪部とシール用収容溝との係合を解除し、さらに各固定部材を取り外し、内筒部を受口から引き出すことで、受口用カバーを取り外すことができる。
【０００９】
第２の発明では、第１の発明において、
上記蓋部には、上記受口の内径よりも外径の小さい配管を接続可能な接続用ネジ孔が形成されて、該接続用ネジ孔は、接続用プラグで密閉可能となっている。
【００１０】
上記の構成によると、受口用カバーで受口を閉じたままで接続用プラグを取り外し、接続用ネジ孔に小径の管を接続することで、例えば各家庭等まで管路を簡単に延長することができる。
【００１１】
第３の発明では、第２の発明において、
上記接続用プラグには、空気抜き用の貫通孔が形成され、該貫通孔は、空気抜き用プラグで密閉可能となっている。
【００１２】
上記の構成によると、接続用プラグを取り外さなくても、それよりも小径で取り外しが容易な空気抜き用プラグを取り外すことにより、空気抜きを容易に行うことができる。
【００１３】
第４の発明では、第２又は第３の発明において、
上記接続用プラグには、鍔部が形成され、該鍔部に形成された締結部材挿通孔に締結部材を挿通して上記接続用ネジ孔の周縁に締結可能に構成されている。
【００１４】
すなわち、接続用ネジ孔の径が大きい場合に、接続用ネジ孔に直接プラグを締め付けようとすると大きな締め付けトルクを必要とするが、上記の構成によると、接続用プラグの鍔部の締結部材挿通孔に、より外径の小さい締結部材を締め付けるようにしているので、接続用プラグの締め付けトルクが小さくなって取り付け及び取り外し作業が容易となる。
【００１５】
第５の発明では、第１乃至第４のいずれか１つの発明において、
上記受口は、真っ直ぐなダクタイル鋳鉄管の先端に形成されたものとする。
【００１６】
すなわち、ダクタイル鋳鉄管の直管の外周には、固定部材を係止するための凹溝がないが、固定部材の先端を受口の内面に形成したシール用収容溝に係止することにより、受口を容易に水密状態とすることができる。
【発明の効果】
【００１７】
以上説明したように、本発明によれば、手前側がフランジ部に当接し、挿入側が受口内面のシール用収容溝に挿入される固定部材を押込ボルトで固定するようにしたことにより、固定部材を受口の外面ではなく内面に簡単に取り外し及び取り付け可能とすることができる。
【００１８】
また、蓋部に受口の内径よりも外径の小さい配管を接続可能な接続用ネジ孔を形成し、接続用プラグで密閉可能としたことにより、接続用プラグを取り外せば、受口用カバーを取り付けたままで簡単に管路を延長可能とすることができる。
【発明を実施するための最良の形態】
【００１９】
以下、本発明の実施形態を図面に基づいて説明する。
【００２０】
図１に本発明の実施形態にかかる受口用カバー１０で密閉された配管部材１の受口２及びその周辺の側方断面図を示す。図２に受口用カバー１０で密閉された配管部材１の受口２及びその周辺の正面図を示す。図３に接続管９が接続された配管部材１の受口２及びその周辺の側方断面図を示す。図４に押込ボルト２０を押し込む前の受口用カバー１０、配管部材１の受口２及びその周辺の側方断面図を示す。図５に接続配管３０を接続用ネジ孔１４に接続した状態を示す側方断面図を示す。
【００２１】
配管部材１は上下水道などの流路を形成し、受口用カバー１０は、この配管部材１の受口２を一時的に遮断可能に構成されている。受口２の内周面には、円周方向全域にわたりシール用収容溝３が形成されている。図３に示すように、このシール用収容溝３は、受口２に直管などの接続管９を接続して流路を延長するときに、接続管９との間で水密状態を維持する接続用環状シール４が嵌合されるようになっている。シール用収容溝３は、手前側の深く幅の狭い深溝部３ａと、この深溝部３ａの奥側に連続し、浅く幅の広い浅溝部３ｂとよりなる。
【００２２】
図１に示すように、この浅溝部３ｂには、後述する内筒部１１と受口２内面とを密閉する環状のカバー用シール部材５が嵌合されるようになっている。このカバー用シール部材５は、接続用環状シール４の手前側部分のない形状となっている。シール用収容溝３のさらに奥には、ロックリング収容溝６が形成されている。図３に示すように、このロックリング収容溝６には、接続管９をロックするためのロックリング７と、このロックリングを芯出しするための芯出し用ゴム８とが嵌合するようになっている。配管部材１は、例えばダクタイル鋳鉄管よりなる。図示した受口２は直管の端部に形成され、外周には環状凹部が形成されていない。但し、この受口用カバー１０は、受口２の内周面にシール用収容溝３が形成されている限り、外周に環状凹部が形成された異形管にも使用することができる。
【００２３】
受口用カバー１０は、受口２の内面に挿入される受口２の内径よりも小径で筒状の内筒部１１を備えている。内筒部１１の挿入側（奥側）外周は、手前側よりも外径が小さいシール取付部１１ａが形成され、そのシール取付部１１ａにカバー用シール部材５を嵌合させるようになっている。内筒部１１のシール用収容溝３に対応する位置には、円周方向に間隔をあけて矩形状の４つの係止用貫通孔１２が開口されている。
【００２４】
内筒部１１の挿入側端部は、円板状の蓋部１３で塞がれている。蓋部１３の中心には、受口２の内径よりも外径の小さい接続配管３０の雌ネジ部３０ａ（図５に示す）を接続可能な接続用ネジ孔１４が形成されている。この接続用ネジ孔１４は、接続用プラグ１５で密閉可能となっている。具体的には、接続用プラグ１５には、他の部位よりも大径の鍔部１５ａが形成され、この鍔部１５ａに形成された締結部材挿通孔１５ｂに六角頭付ボルトや六角孔付ボルト等の締結部材１５ｃを挿通して接続用ネジ孔１４の周縁の締結孔１４ａに締結可能に構成されている。接続用プラグ１５の中心には、空気抜き用の貫通孔１５ｄが形成されている。この貫通孔１５ｄの雌ネジ部に空気抜き用プラグ１６の雄ネジ部１６ａをネジ結合することで、貫通孔１５ｄを密閉可能となっている。なお、鍔部１５ａには、接続用ネジ孔１４よりも大径の環状のリング用凹部１５ｅが形成され、このリング用凹部１５ｅにＯリング１７を嵌合させることで、接続用ネジ孔１４の水密性を保っている。
【００２５】
内筒部１１の手前側端部の外周からは、複数の（本実施形態では４つの）貫通ネジ孔１８が形成された鍔状のフランジ部１９が延びている。各貫通ネジ孔１８には、押込ボルト２０を締結可能となっている。
【００２６】
係止用貫通孔１２には、受口用カバー１０を受口２に固定する固定部材２１が挿入されるようになっている。固定部材２１は、押込ボルト２０が挿通されるボルト挿入孔２１ａを有し、外観に露出する板状の露出部２１ｂを備えている。この露出部２１ｂの奥側には、受口２の内面に沿う断面円弧状の水平部２１ｃが連続して成形されている。この水平部２１ｃの奥端には、半径方向外側へ係止爪部２１ｄが延びている。係止爪部２１ｄは、先端が係止用貫通孔１２を通ってシール用収容溝３の深溝部３ａに挿入されるようになっている。
【００２７】
押込ボルト２０には、狭持部としての押さえナット２２が締結され、この押さえナット２２は、フランジ部１９との間に露出部２１ｂを押さえ込んで狭持する役割を果たしている。
【００２８】
図４に示す押込ボルト２０締め付け前の状態では、深溝部３ａを形成する手前側壁面３ｃと係止爪部２１ｄとの間に隙間ｃが生じている。この状態から押込ボルト２０を締め込むことで、図１に示すように、固定部材２１を手前側に移動させて隙間ｃをなくし、係止爪部２１ｄをシール用収容溝３の手前側壁面３ｃに係止させることで、受口２を水密状態に維持するように構成されている。
【００２９】
−受口２カバーの取付方法−
次に、本実施形態にかかる受口用カバー１０の取付方法について説明する。
【００３０】
まず、予め、カバー用シール部材５をシール用収容溝３の浅溝部３ｂに配置しておく。また、蓋部１３の接続用ネジ孔１４を接続用プラグ１５で塞いでおく。つまり、接続用プラグ１５は、当接面のリング用凹部１５ｅにＯリング１７を嵌め込んだ状態で、締結部材挿通孔１５ｂに締結部材１５ｃを挿入し、締結孔１４ａに締結することにより、接続用ネジ孔１４を塞ぐように固定される。このように、接続用ネジ孔１４の径が大きい場合に、接続用ネジ孔１４に直接接続用プラグ１５を締め付けようとすると大きな締め付けトルクを必要とするが、接続用プラグ１５の鍔部１５ａの締結部材挿通孔１５ｂに、より外径の小さい締結部材１５ｃを締め付けるようにしているので、接続用プラグ１５の締め付けトルクが小さくなって取り付け及び取り外し作業が容易となる。
【００３１】
次いで、接続用プラグ１５が予め取り付けられた受口用カバー１０の内筒部１１を受口２に挿入し、カバー用シール部材５を内筒部１１のシール取付部１１ａに嵌合させ、内筒部１１外面と受口２内面とを水密状に密閉する。
【００３２】
次いで、固定部材２１の水平部２１ｃを内筒部１１内面に押さえ付けながら、係止爪部２１ｄを係止用貫通孔１２に挿通する。すると、係止爪部２１ｄの先端がシール用収容溝３の深溝部３ａに挿入される。この状態では、図４に示すように、深溝部３ａを形成する手前側壁面３ｃと係止爪部２１ｄとの間に隙間ｃが生じている。
【００３３】
次いで、押し込みナット２２を所定の位置に嵌め込んだ押込ボルト２０を隙間ｃがなくなるまでねじ込む。すると、図１に示すように、押込ボルト２０が進むにつれて係止爪部２１ｄがシール用収容溝３の手前側壁面３ｃにしっかりと係止される。このようなダクタイル鋳鉄管の直管の外周には、固定部材２１を係止するための凹溝がないが、シール用収容溝３に固定部材２１の係止爪部２１ｄの先端を係止することにより、受口２の外面に固定部材２１を係止することなく、受口用カバー１０によって簡単に受口２を水密状態とすることができる。これにより、配管部材１の末端部の止水や保護を行うことができ、管路水圧試験用のカバーとしても使用することができる。
【００３４】
また、受口用カバー１０で受口２を塞いだ状態で、接続用プラグ１５の空気抜き用プラグ１６を外す。このように、接続用プラグ１５自体を取り外さなくても、それよりも小径で取り外しが容易な空気抜き用プラグ１６を取り外すことにより、空気抜きや水抜きを容易に行うことができる
さらに、図５に示すように、受口用カバー１０で受口を塞いだ状態で、締結部材１５ｃを緩めて接続用プラグ１５を取り外し、接続用ネジ孔１４に受口２の内径よりも外径の小さい接続配管３０を接続することもできる。すると、例えば、それほど大量の水が流れない各家庭等まで管路を簡単に延長することができる。
【００３５】
一方、受口用カバー１０を受口２から取り外すためには、押込ボルト２０を緩めながら隙間ｃを生じさせて固定部材２１の係止爪部２１ｄとシール用収容溝３との係合を解除する。
【００３６】
次いで、各固定部材２１の係止爪部２１ｄを係止用貫通孔１２から抜き出し、固定部材２１を内筒部１１から取り外す。
【００３７】
次いで、手前側に引き出すことができるようになった内筒部１１を受口２から引き出すことで、受口用カバー１０を容易に取り外すことができる。
【００３８】
−実施形態の効果−
したがって、本実施形態にかかる受口用カバー１０によると、手前側がフランジ部１９に当接し、挿入側が受口２内面のシール用収容溝３に挿入される固定部材２１を押込ボルト２０で固定するようにしたことにより、固定部材２１を受口２の外面ではなく内面に簡単に取り外し及び取り付け可能とすることができ、また、蓋部１３に接続配管３０を接続可能な接続用ネジ孔１４を形成し、接続用プラグ１５で密閉可能としたことにより、受口用カバー１０を取り付けたままで簡単に管路を延長とすることができる。
【００３９】
（その他の実施形態）
本発明は、上記実施形態について、以下のような構成としてもよい。
【００４０】
すなわち、上記実施形態では、配管部材１は、ダクタイル鋳鉄管としたが、これに限定されず、受口の内面にシール用収容溝が形成されたものであれば、受口用カバー１０を取り付けることができる。
【００４１】
上記実施形態では、接続用ネジ孔１４の締結孔１４ａに直接接続用プラグ１５をネジ結合しないようにしたが、直接ネジ結合するようにしてもよい。
【００４２】
上記実施形態では、接続用プラグ１５に空気抜き用プラグ１６を結合するようにしたが、蓋部１３に直接空気抜き用プラグを結合するようにしてもよい。
【００４３】
上記実施形態では、固定部材２１の個数を４つとしているが、これに限定されず、２つ以上であればいくつでもよい。また、締結部材１５ｃの数も２つ以上であれば、いくつでもよい。
【００４４】
上記実施形態では、狭持部として露出部２１ｂとは別体の押し込みナット２２の例を示したが、これに限定されず、例えば露出部２１ｂに予めナットを溶接するなどの方法を用いてもよい。
【００４５】
なお、以上の実施形態は、本質的に好ましい例示であって、本発明、その適用物や用途の範囲を制限することを意図するものではない。
【図面の簡単な説明】
【００４６】
【図１】図２のＩ−Ｉ線断面図である。
【図２】本発明の実施形態にかかる受口用カバーで閉された配管部材の受口及びその周辺の正面図である。
【図３】接続管が接続された配管部材の受口及びその周辺の側方断面図である。
【図４】押込ボルトを押し込む前の受口用カバー、配管部材の受口及びその周辺の側方断面図である。
【図５】接続用ネジ孔に接続配管を接続した状態を示す側方断面図である。
【符号の説明】
【００４７】
１      配管部材
２      受口
３      シール用収容溝
３ｃ    手前側壁面
５      シール部材
６      ロックリング収容溝
１０      受口用カバー
１１      内筒部
１２      係止用貫通孔
１３      蓋部
１４      接続用ネジ孔
１５      接続用プラグ
１５ａ    貫通孔
１６      空気抜き用プラグ
１８      貫通ネジ孔
１９      フランジ部
２０      押込ボルト
２１      固定部材
２１ａ    ボルト挿入孔
２１ｂ    露出部
２１ｄ    係止爪部
２２      押さえナット（狭持部）
３０      接続配管
【図１】
2010065787.tif 000003
【図２】
2010065787.tif 000004
【図３】
2010065787.tif 000005
【図４】
2010065787.tif 000006
【図５】
2010065787.tif 000007